(57)【要約】【課題】セキュリティ性を向上させることの可能な宅配ボックスシステムを提供する。【解決手段】宅配ボックスシステム１０は、荷物を収容可能な収容部２１と、収容部２１を開閉する扉部材２２と、扉部材２２を施錠及び開錠する電気錠装置３０と、携帯端末７０とのＳＭＳを用いた通信を可能とする通信装置６０と、タッチパネルに入力されたコードが開錠用コードに一致しているか否かに基づいて認証を行うとともに当該認証が成立することに基づいて電気錠装置３０を開錠させる演算処理部とを備える。演算処理部は、収容部２１に荷物が収容された際に、記憶部に記憶された携帯端末の電話番号宛てに、開錠用コードを含むＳＭＳメッセージを通信装置６０により送信する。【選択図】図１
2019180588.tif 000002
【特許請求の範囲】
【請求項１】
荷物を収容可能な収容部と、
前記収容部を開閉する扉部材と、
前記扉部材を施錠及び開錠する施開錠部と、
所定の情報を入力可能な入力部と、
携帯端末とのＳＭＳを用いた通信を可能とする通信部と、
前記携帯端末の電話番号が記憶される記憶部と、
前記入力部に入力されたコードが開錠用コードに一致しているか否かに基づいて認証を行うとともに、当該認証が成立することに基づいて前記施開錠部を開錠させる制御部と、を備え、
前記制御部は、前記収容部に荷物が収容された際に、前記記憶部に記憶された前記携帯端末の電話番号宛てに、開錠用コードを含むＳＭＳメッセージを前記通信部により送信する
宅配ボックスシステム。
【請求項２】
前記制御部は、前記携帯端末から前記制御部に送信されるＳＭＳメッセージに基づいて前記携帯端末の電話番号を取得するとともに、取得した前記電話番号を前記記憶部に記憶させる
請求項１に記載の宅配ボックスシステム。
【請求項３】
前記記憶部には、登録用コードが予め記憶されており、
前記制御部は、前記携帯端末から送信された前記ＳＭＳメッセージに記載されるコードと、前記記憶部に記憶されている前記登録用コードとが一致することに基づいて、前記ＳＭＳメッセージに対応した前記携帯端末の電話番号を前記記憶部に記憶させる
請求項２に記載の宅配ボックスシステム。
【請求項４】
前記開錠用コードを含むＳＭＳメッセージには、前記収容部を特定可能な固有の名称が更に含まれている
請求項１〜３のいずれか一項に記載の宅配ボックスシステム。
【請求項５】
前記制御部は、前記収容部に荷物が収容された際に前記入力部に入力される電話番号と、前記記憶部に記憶されている電話番号とが互いに一致するか否かを判定し、それらが一致していない場合には、前記施開錠部による前記扉部材の施錠を行わない
請求項１〜４のいずれか一項に記載の宅配ボックスシステム。
【請求項６】
前記制御部は、前記入力部に入力される情報に基づいて、複数の前記収容部の開錠の優先順位を設定するとともに、前記施開錠部を開錠させる際、荷物の収容されていない複数の前記収容部のうち、前記優先順位の最も高い収容部を開錠させる
請求項１〜５のいずれか一項に記載の宅配ボックスシステム。
【請求項７】
前記入力部に入力される情報には、前記収容部の大きさ、荷物の重さ、及び荷物の種類のうちの少なくとも一つが含まれている
請求項６に記載の宅配ボックスシステム。
【請求項８】
前記制御部は、前記収容部に荷物が収容されている期間である収容期間を計測し、前記収容期間が所定の収容判定期間以上になることに基づいて、所定のＳＭＳメッセージを前記携帯端末の電話番号宛てに送信する
請求項１〜７のいずれか一項に記載の宅配ボックスシステム。
【請求項９】
前記記憶部には、管理者の電話番号が更に記憶されており、
前記所定の収容判定期間を第１収容判定期間とし、前記第１収容判定期間よりも長い期間を第２収容判定期間とするとき、
前記制御部は、前記収容期間が前記第２収容判定期間以上になることに基づいて、所定のＳＭＳメッセージを前記管理者の電話番号宛てに送信する
請求項８に記載の宅配ボックスシステム。
【請求項１０】
前記制御部は、前記施開錠部を施錠した時点から所定時間が経過するまでの間に、前記施開錠部の開錠を要求する操作が前記入力部に対して行われることに基づいて、前記施開錠部を開錠する
請求項１〜９のいずれか一項に記載の宅配ボックスシステム。
【発明の詳細な説明】
【技術分野】
【０００１】
本開示は、宅配ボックスシステムに関する。
【背景技術】
【０００２】
従来、特許文献１に記載の宅配ボックスシステムがある。特許文献１に記載の宅配ボックスシステムは、システム全体の管理を行う管理端末を備えている。管理端末は、部屋毎の公開鍵を格納しており、荷物の配達時に、ランダムなパスワードを生成するとともに、当該パスワードを公開鍵により暗号化して記憶する。管理端末は、パスワードをプリンタによりレシートに印字し、荷物を収納した宅配ボックスの施錠を行う。荷物の受取時、管理端末は、レシートに印字されたパスワードが入力されると、公開鍵と対になっている秘密鍵を内部に持つＩＣカードに対し、記憶されている暗号化されたパスワードを設定し、ＩＣカード内部で秘密鍵を用いて復号する。管理端末は、復号したパスワードと入力されたパスワードとを照合し、一致していた場合に、宅配ボックスを開錠する。
【先行技術文献】
【特許文献】
【０００３】
【特許文献１】特開２００５−２５６３０１号公報
【発明の概要】
【発明が解決しようとする課題】
【０００４】
ところで、特許文献１に記載の宅配ボックスシステムがマンション等に設置されている場合、マンションに居住している複数の住人のそれぞれに対応した複数の郵便ポストが存在する。そのため、宅配業者が、荷物を受け取るべき住人とは異なる住人の郵便ポストにレシートを投函する可能性がある。このような場合、宅配ボックスに収容された荷物を別の住人が誤って受け取る可能性があるため、セキュリティ上、好ましくない。
【０００５】
なお、このような課題は、マンション等で利用される宅配ボックスシステムに限らず、企業内で利用される宅配ボックス等、複数のユーザが利用可能な宅配ボックスシステムに共通する課題である。
本開示は、こうした実情に鑑みてなされたものであり、その目的は、セキュリティ性を向上させることの可能な宅配ボックスシステムを提供することにある。
【課題を解決するための手段】
【０００６】
上記課題を解決する宅配ボックスシステムは、荷物を収容可能な収容部と、収容部を開閉する扉部材と、扉部材を施錠及び開錠する施開錠部と、所定の情報を入力可能な入力部と、携帯端末とのＳＭＳを用いた通信を可能とする通信部と、携帯端末の電話番号が記憶される記憶部と、入力部に入力されたコードが開錠用コードに一致しているか否かに基づいて認証を行うとともに、当該認証が成立することに基づいて施開錠部を開錠させる制御部と、を備える。制御部は、収容部に荷物が収容された際に、記憶部に記憶された携帯端末の電話番号宛てに、開錠用コードを含むＳＭＳメッセージを通信部により送信する。
【０００７】
電話番号は各携帯電話の固有の情報であるため、上記構成のように、開錠用コードを含むＳＭＳメッセージを携帯端末の電話番号宛てに送信するようにすれば、第三者が開錠用コードを取得するような状況が発生し難くなる。結果的に、第三者が収容部内の荷物を取得できるような状況が発生し難くなるため、セキュリティ性を向上させることができる。
【０００８】
上記の宅配ボックスシステムにおいて、制御部は、携帯端末から制御部に送信されるＳＭＳメッセージに基づいて携帯端末の電話番号を取得するとともに、取得した電話番号を記憶部に記憶させることが好ましい。
この構成によれば、携帯端末の所有者であるユーザの手入力によることなく、携帯端末の電話番号を記憶部に記憶させることができるため、より確実に携帯端末の電話番号を取得することができる。
【０００９】
上記の宅配ボックスシステムにおいて、記憶部には、登録用コードが予め記憶されており、制御部は、携帯端末から送信されたＳＭＳメッセージに記載されるコードと、記憶部に記憶されている登録用コードとが一致することに基づいて、ＳＭＳメッセージに対応した携帯端末の電話番号を記憶部に記憶させることが好ましい。
【００１０】
この構成によれば、登録用コードが知らされていない第三者の携帯端末から送信されるＳＭＳメッセージに基づいて、そのＳＭＳメッセージに対応した電話番号が記憶部に記憶されるような状況を回避することができる。これにより、第三者による宅配ボックスシステムの使用を未然に防止することができるため、セキュリティ性を高めることができる。
【００１１】
上記の宅配ボックスシステムにおいて、開錠用コードを含むＳＭＳメッセージには、収容部を特定可能な固有の名称が更に含まれていることが好ましい。
この構成によれば、ユーザが複数の宅配ボックスシステムを使用可能である場合に、いずれの宅配ボックスシステムの収容部に荷物が収容されているかを認識し易くなるため、利便性を向上させることができる。
【００１２】
上記の宅配ボックスシステムにおいて、制御部は、収容部に荷物が収容された際に入力部に入力される電話番号と、記憶部に記憶されている電話番号とが互いに一致するか否かを判定し、それらが一致していない場合には、施開錠部による扉部材の施錠を行わないことが好ましい。
【００１３】
この構成によれば、携帯端末の電話番号を登録したユーザのみが収容部を利用することができるようになるため、第三者による収容部の利用を防止することができる。よって、セキュリティ性を向上させることができる。
上記宅配ボックスシステムにおいて、制御部は、入力部に入力される情報に基づいて、複数の収容部の開錠の優先順位を設定するとともに、施開錠部を開錠させる際、荷物の収容されていない複数の収容部のうち、優先順位の最も高い収容部を開錠させることが好ましい。
【００１４】
この構成によれば、入力部に入力される情報に応じた最適な収容部が自動的に開錠されるため、荷物を配達する宅配業者や、荷物の発送を依頼するユーザが、複数の収容部２１のうちのいずれかを選択する操作を行う必要がない。よって、利便性を向上させることができる。
【００１５】
上記宅配ボックスシステムにおいて、入力部に入力される情報には、収容部の大きさ、荷物の重さ、及び荷物の種類のうちの少なくとも一つが含まれていることが好ましい。
この構成によれば、より最適な収容部を選択することが可能となる。
【００１６】
上記宅配ボックスシステムにおいて、制御部は、収容部に荷物が収容されている期間である収容期間を計測し、収容期間が所定の収容判定期間以上になることに基づいて、所定のＳＭＳメッセージを携帯端末の電話番号宛てに送信することが好ましい。
この構成によれば、収容期間が収容判定期間以上になると、荷物の受取人であるユーザの携帯端末にＳＭＳメッセージが送信されるため、ユーザは、このＳＭＳメッセージに基づいて、受け取っていない荷物の存在に気づくことができる。よって、利便性を向上させることができる。
【００１７】
上記宅配ボックスシステムにおいて、記憶部には、管理者の電話番号が更に記憶されており、所定の収容判定期間を第１収容判定期間とし、第１収容判定期間よりも長い期間を第２収容判定期間とするとき、制御部は、収容期間が第２収容判定期間以上になることに基づいて、所定のＳＭＳメッセージを管理者の電話番号宛てに送信することが好ましい。
【００１８】
この構成によれば、収容期間が第２収容判定期間以上になると、管理者の携帯端末にＳＭＳメッセージが送信されるため、管理者は、長期間収容されている荷物の存在に気づくことができる。これにより、この荷物に対する適宜の処置を管理者が行うことが可能となるため、荷物が収容部内に収容されたまま放置されるような状況を回避することができる。
【００１９】
上記宅配ボックスシステムにおいて、制御部は、施開錠部を施錠した時点から所定時間が経過するまでの間に、施開錠部の開錠を要求する操作が入力部に対して行われることに基づいて、施開錠部を開錠することが好ましい。
この構成によれば、例えばユーザが収容部から荷物を取り出す前に誤って扉部材を閉じることにより施開錠部が施錠状態になった場合でも、施開錠部を再度開錠させることができるため、荷物を取り出すことが可能となる。
【発明の効果】
【００２０】
本開示によれば、セキュリティ性を向上させることの可能な宅配ボックスシステムを提供できる。
【図面の簡単な説明】
【００２１】
【図１】図１は、第１実施形態の宅配ボックスシステムの概略構成を示すブロック図である。
【図２】図２は、第１実施形態の制御器の概略構成を示すブロック図である。
【図３】図３は、第１実施形態のパーソナルコンピュータの概略構成を示すブロック図である。
【図４】図４は、第１実施形態の演算処理部により実行される処理の手順を示すフローチャートである。
【図５】図５は、第１実施形態のタッチパネルに表示される操作選択画面の一例を示す図である。
【図６】図６は、第１実施形態の演算処理部により実行される処理の手順の一部を示すフローチャートである。
【図７】図７は、第１実施形態の演算処理部により実行される処理の手順の一部を示すフローチャートである。
【図８】図８は、第１実施形態の演算処理部により実行される処理の手順を示すフローチャートである。
【図９】図９は、第１実施形態の演算処理部により実行される処理の手順を示すフローチャートである。
【図１０】図１０は、第２実施形態の宅配ボックスシステムにおいて携帯端末に送信されるＳＭＳメッセージの一例を示す図である。
【図１１】図１１は、第３実施形態の宅配ボックス本体の正面構造を模式的に示す図である。
【図１２】図１２は、第３実施形態の演算処理部により実行される処理の手順の一部を示すフローチャートである。
【図１３】図１３は、第３実施形態の演算処理部により実行される収容部選択処理の手順の一部を示すフローチャートである。
【図１４】図１４は、第３実施形態の演算処理部により実行される収容部選択処理の手順の一部を示すフローチャートである。
【図１５】図１５は、第３実施形態の演算処理部により実行される収容部選択処理の手順の一部を示すフローチャートである。
【図１６】図１６は、第３実施形態のタッチパネルに表示される収容部・荷物選択画面の一例を示す図である。
【図１７】図１７（Ａ）〜（Ｆ）は、第３実施形態の演算処理部により用いられる第１〜第６優先順位条件の内容を模式的に示す図である。
【図１８】図１８（Ａ）〜（Ｄ）は、第３実施形態の演算処理部により用いられる第７〜第１０優先順位条件の内容を模式的に示す図である。
【図１９】図１９は、第４実施形態の演算処理部により実行される処理の手順を示すフローチャートである。
【図２０】図２０は、第５実施形態の演算処理部により実行される処理の手順を示すフローチャートである。
【発明を実施するための形態】
【００２２】
以下、宅配ボックスシステムの一実施形態について図面を参照しながら説明する。説明の理解を容易にするため、各図面において同一の構成要素に対しては可能な限り同一の符号を付して、重複する説明は省略する。
＜第１実施形態＞
はじめに、第１実施形態の宅配ボックスシステムについて説明する。
【００２３】
図１に示される本実施形態の宅配ボックスシステム１０は、当該システム１０のユーザに対して宅配業者から配達される荷物、あるいはユーザから宅配業者に発送が依頼された荷物を一時的に保管するためのシステムであって、企業やマンション等に設置される。宅配ボックスシステム１０は、宅配ボックス本体２０と、電気錠装置３０と、制御器３１と、印刷装置４０と、パーソナルコンピュータ５０と、通信装置６０とを備えている。以下では、便宜上、パーソナルコンピュータ５０を「パソコン５０」と略記する。
【００２４】
宅配ボックス本体２０は、荷物が収容される部分である。宅配ボックス本体２０は、例えば企業の屋外の敷地内やマンションの玄関口付近に設置される。宅配ボックス本体２０は、荷物を収容可能な複数の箱状の収容部２１と、複数の収容部２１の開口部に配置される扉部材２２とを有している。収容部２１には、固有の番号が予め設定されている。扉部材２２は、収容部２１の開口部を開閉する。
【００２５】
電気錠装置３０は、複数の扉部材２２のそれぞれに対応して設けられており、対応する扉部材２２を電気的に施錠及び開錠する装置である。制御器３１は、ＨＵＢ８０を介してパソコン５０から送信される指令信号に基づいて、複数の電気錠装置３０の施錠及び開錠を制御する部分である。本実施形態では、電気錠装置３０及び制御器３１が施開錠部に相当する。
【００２６】
具体的には、図２に示されるように、制御器３１は、記憶部３１０と、演算処理部３１１と、制御部３１２と、ＬＡＮインターフェース３１３とを備えている。制御部３１２は、電気錠装置３０に対する通電状態を変化させることにより、電気錠装置３０を施錠及び開錠させる部分である。ＬＡＮインターフェース３１３には、ＨＵＢ８０が接続されている。図１に示されるように、ＨＵＢ８０には、制御器３１の他、パソコン５０及び通信装置６０が接続されている。ＬＡＮインターフェース３１３は、ＨＵＢ８０に接続されたパソコン５０等と制御器３１との間での通信を可能としている。
【００２７】
図２に示されるように、記憶部３１０には、複数の電気錠装置３０のそれぞれに予め付与されている固有の番号の情報や、演算処理部３１１により実行される制御プログラムや通信プログラム等が記憶されている。演算処理部３１１は、記憶部３１０に予め記憶されている各種プログラムを実行することにより、パソコン５０からの要求に基づいて複数の電気錠装置３０の施錠及び開錠を制御する。
【００２８】
例えば、パソコン５０は、施錠対象である電気錠装置３０の番号の情報が含まれた施錠要求信号や、開錠対象である電気錠装置３０の番号の情報が含まれた開錠要求信号を制御器３１に送信する。演算処理部３１１は、パソコン５０から送信される施錠要求信号をＨＵＢ８０及びＬＡＮインターフェース３１３を介して受信すると、施錠要求信号に含まれる番号に対応した電気錠装置３０を施錠させるべく制御部３１２を駆動させる。また、演算処理部３１１は、パソコン５０から送信される開錠要求信号をＨＵＢ８０及びＬＡＮインターフェース３１３を介して受信すると、開錠要求信号に含まれている番号に対応した電気錠装置３０を開錠させるべく制御部３１２を駆動させる。
【００２９】
図１に示される印刷装置４０、パソコン５０、及び通信装置６０は、宅配ボックス本体２０に一体的に設置されている。なお、印刷装置４０、パソコン５０、及び通信装置６０は、宅配ボックス本体２０とは別体として設置されていてもよい。
印刷装置４０は、宅配業者や受取人に対して各種印刷物を印刷する装置である。印刷物には、例えば預かり証が含まれている。預かり証は、宅配業者が宅配ボックス本体２０に荷物を収容した際に、その旨を証明するための印刷物である。
【００３０】
通信装置６０は、ネットワーク回線ＮＬや電話網ＴＮを介して携帯端末７０との間で無線通信を可能とする部分である。携帯端末７０は、当該宅配ボックスシステム１０を利用する利用者により所持される携帯電話やスマートフォン等である。携帯端末７０は、電話機能を有しており、固有の電話番号を有している。また、携帯端末７０は、ＳＭＳ（Short Message Service）機能を有しており、ＳＭＳメッセージの送受信が可能である。本実施形態では、通信装置６０が通信部に相当する。
【００３１】
パソコン５０は、ＨＵＢ８０を介して制御器３１及び通信装置６０と各種通信を行いつつ、宅配ボックス本体２０を統括的に制御する部分である。また、パソコン５０は、印刷装置４０から各種印刷物を印刷することが可能である。図３に示されるように、パソコン５０は、記憶部５１と、タッチパネル５２と、演算処理部５３と、ＬＡＮインターフェース５５と、ＵＳＢインターフェース５６とを備えている。
【００３２】
タッチパネル５２は、宅配ボックスシステム１０に関連する各種情報を表示する表示部として機能するとともに、ユーザや宅配業者が宅配ボックスシステム１０に関連する各種情報を入力可能な入力部としても機能する。タッチパネル５２は、その入力情報を演算処理部５３に送信する。
【００３３】
ＬＡＮインターフェース３１３には、ＨＵＢ８０が接続されている。ＬＡＮインターフェース３１３は、ＨＵＢ８０に接続された制御器３１等とパソコン５０との間での通信を可能としている。ＵＳＢインターフェース５６には、印刷装置４０が接続されている。
演算処理部５３は、記憶部５１に記憶された制御プログラムや通信プログラムを実行することにより、携帯端末７０から送信される情報や、タッチパネル５２から送信される入力情報等に基づいて宅配ボックスシステム１０を制御する。本実施形態では、演算処理部５３が制御部に相当する。
【００３４】
具体的には、宅配ボックスシステム１０には、ＳＭＳを利用可能な専用の電話番号が予め設定されている。演算処理部５３は、宅配ボックスシステム１０の専用の電話番号を用いることにより、通信装置６０を通じてＳＭＳメッセージを送受信することが可能である。演算処理部５３は、携帯端末７０から送信されるＳＭＳメッセージを通信装置６０により受信すると、ＳＭＳメッセージの送信元である携帯端末７０の電話番号を記憶部５１に記憶させる。そして、演算処理部５３は、宅配業者が宅配ボックス本体２０に荷物を収容した際に、開錠用コードを含むＳＭＳメッセージを、記憶部５１に記憶された電話番号宛てに送信する。これにより、荷物の受取人であるユーザは、このＳＭＳメッセージを自身の携帯端末７０により受信する。ユーザは、ＳＭＳメッセージに含まれる開錠用コードをタッチパネル５２に入力することにより、宅配ボックス本体２０から荷物を取り出すことができる。
【００３５】
次に、演算処理部５３により実行される処理の具体的な手順について説明する。はじめに、図４を参照して、演算処理部５３により実行される電話番号の事前登録処理について説明する。なお、演算処理部５３は、電話網ＴＮを介してＳＭＳメッセージを受信した際に図４に示される処理を実行する。
【００３６】
図４に示されるように、演算処理部５３は、まず、ステップＳ１０の処理として、ＳＭＳメッセージに記載されたコードを取得するとともに、ステップＳ１１の処理として、記憶部５１に予め記憶されている登録用コードを読み込む。登録用コードは、宅配ボックスシステム１０に電話番号を登録する際に用いられる専用のコードである。この登録用コードは、当該宅配ボックスシステム１０の管理者等からユーザに予め通知される。ユーザは、携帯端末７０の電話番号を宅配ボックスシステム１０に登録する際、予め通知されている登録用コードをＳＭＳメッセージの本文に記載する。
【００３７】
演算処理部５３は、ステップＳ１１に続くステップＳ１２の処理として、ＳＭＳメッセージの本文に記載されたコードと、記憶部５１から読み込んだ登録用コードとが互いに一致しているか否かを判断する。演算処理部５３は、ステップＳ１２の処理で肯定判断した場合には、すなわちそれぞれのコードが互いに一致している場合には、ステップＳ１３の処理として、ＳＭＳメッセージの送信元の電話番号を記憶部５１に記憶させた後、一連の処理を終了する。
【００３８】
一方、演算処理部５３は、ステップＳ１２の処理で否定判断した場合には、すなわちＳＭＳメッセージの本文に記載されたコードと、記憶部５１から読み込んだ登録用コードとが互いに一致していない場合には、ステップＳ１３の処理を実行せずに、一連の処理を終了する。すなわち、それぞれのコードが一致していない場合には、ＳＭＳメッセージの送信元の電話番号が記憶部５１に記憶されない。
【００３９】
以上のような処理が演算処理部５３により実行されることで、ユーザは、予め知らされている登録用コードを含むＳＭＳメッセージを宅配ボックスシステム１０の専用の電話番号宛てに送信するだけで、自身の携帯端末７０の電話番号を宅配ボックスシステム１０に自動的に登録することができる。そして、携帯端末７０の電話番号が宅配ボックスシステム１０に一旦登録されると、ユーザや宅配業者は宅配ボックスシステム１０を利用することが可能となる。
【００４０】
具体的には、タッチパネル５２には、そのデフォルト画面として、図５に示されるような画面が表示されている。図５に示されるデフォルト画面では、荷物のお届け、荷物の受け取り、荷物の集荷、及び荷物の発送といった操作に対応したアイコンが表示される。ユーザや宅配業者は、図５に示されるデフォルト画面において、それらのアイコンのうちのいずれかを選択することにより、選択したアイコンに対応したサービスを利用することができる。
【００４１】
次に、各アイコンが選択された際に演算処理部５３により実行される処理の手順について説明する。はじめに、図６及び図７を参照して、例えば荷物を配達する宅配業者がタッチパネル５２の操作画面において荷物のお届けに対応するアイコンが選択された際に演算処理部５３により実行される処理の手順について説明する。
【００４２】
図６に示されるように、演算処理部５３は、まず、ステップＳ２０の処理として、荷物を配達した宅配業者の名称を選択する画面をタッチパネル５２に表示する。演算処理部５３は、宅配業者の名称が選択された後、ステップＳ２１の処理として、荷物の受取人であるユーザの電話番号を入力することの可能な画面をタッチパネル５２に表示する。この際、宅配業者は、荷物の伝票等に記載されている受取人の電話番号をタッチパネル５２に入力する。この電話番号は携帯端末７０の電話番号に相当する。
【００４３】
次に、演算処理部５３は、ステップＳ２２の処理として、事前に登録されている電話番号を記憶部５１から読み込んだ後、ステップＳ２３の処理として、タッチパネル５２に入力された電話番号と、事前に登録されている電話番号とが互いに一致しているか否かを判断する。演算処理部５３は、ステップＳ２３の処理で否定判断した場合には、すなわちそれぞれの電話番号が互いに一致していない場合には、ステップＳ２４の処理として、異常を示す画面をタッチパネル５２に表示した後、ステップＳ２１の処理に戻り、電話番号の入力画面をタッチパネル５２に再度表示する。すなわち、演算処理部５３は、宅配業者に電話番号の再入力を促す。
【００４４】
演算処理部５３は、ステップＳ２３の処理で肯定判断した場合には、すなわちタッチパネル５２に入力された電話番号と、事前に登録されている電話番号とが互いに一致している場合には、ステップＳ２５の処理として、所定の電気錠装置３０の開錠要求信号を制御器３１に送信する。これにより、所定の電気錠装置３０に対応した扉部材２２が開錠されるため、宅配業者は、開錠された扉部材２２に対応する収容部２１に荷物を収容することができる。
【００４５】
そして、宅配業者が収容部２１に荷物を収容した後、扉部材２２を閉じると、扉部材２２が閉じられたことを電気錠装置３０が検知する。これに伴い、電気錠装置３０は、当該扉部材２２を施錠するとともに、扉部材２２が施錠されたことを演算処理部５３に通知する。これにより、演算処理部５３は、ステップＳ２６の処理として、扉部材２２が施錠されたことを検知すると、ステップＳ２７の処理として、確認画面をタッチパネル５２に表示する。確認画面には、ステップＳ２０で選択された宅配業者の名称や、ステップＳ２１で入力された受取人のユーザの電話番号の情報等が表示される。宅配業者は、確認画面に表示された情報と、荷物の伝票に記載された情報とを比較することにより、荷物の受取人が適切であるか否かを確認することができる。
【００４６】
演算処理部５３は、ステップＳ２８の処理として、確認画面に表示された情報が承認されたか否かを判断する。具体的には、確認画面には、表示された情報が正しい場合に操作される承認用アイコンと、表示された情報を修正する際に操作される修正用アイコンとが更に表示されている。演算処理部５３は、確認画面において修正用アイコンが選択された場合、ステップＳ２８の処理で否定判断、すなわち確認画面に表示された情報が承認されなかったと判定する。この場合、演算処理部５３は、ステップＳ２９の処理として、入力情報を修正するための画面をタッチパネル５２に表示するとともに、入力情報の修正が完了することに基づいてステップＳ２７の処理に戻り、確認画面を再表示する。
【００４７】
演算処理部５３は、確認画面において承認用アイコンが選択された場合、ステップＳ２８の処理で肯定判断する。この場合、演算処理部５３は、確認画面に表示された情報が承認されたと判定し、図７に示されるように、ステップＳ３０の処理として、ランダムな開錠用コードを生成するとともに、ステップＳ３１の処理として、生成した開錠用コードを記憶部５１に記憶させる。この際、演算処理部５３は、荷物が収容されている収容部２１の個別の番号を開錠用コードに関連付けて記憶部５１に記憶させる。その後、演算処理部５３は、ステップＳ３２の処理として、開錠用コードを含むＳＭＳメッセージを受取人のユーザの電話番号宛てに送信する。これにより、荷物の受取人であるユーザの携帯端末７０に、開錠用コードが記載されたＳＭＳメッセージが送信される。
【００４８】
演算処理部５３は、ステップＳ３２に続くステップＳ３３の処理として、ＳＭＳメッセージの送信が成功したか否かを判断する。演算処理部５３は、ステップＳ３３の処理で否定判断した場合には、すなわちＳＭＳメッセージの送信が失敗した場合には、ステップＳ３４の処理として、ＳＭＳメッセージを再送信するか否かを判断する。具体的には、演算処理部５３は、ＳＭＳメッセージの送信が失敗した場合、ＳＭＳメッセージを再送信するか否かを確認するための再送信確認画面をタッチパネル５２に表示する。演算処理部５３は、再送信確認画面においてＳＭＳメッセージの再送信を許諾する操作が行われた場合には、ステップＳ３４の処理で肯定判断する。この場合、演算処理部５３は、ステップＳ３５の処理として、ＳＭＳメッセージの再送信を行うことを示す画面をタッチパネル５２に表示した後、ステップＳ３２の処理に戻り、開錠用コードを含むＳＭＳメッセージを受取人のユーザの電話番号宛てに再送信する。
【００４９】
演算処理部５３は、ステップＳ３４の処理で否定判断した場合、すなわち再送信確認画面においてＳＭＳメッセージの再送信を拒否する操作が行われた場合には、ステップＳ３６の処理として、操作を中止することを示す画面をタッチパネル５２に表示するとともに、ステップＳ３７の処理として、荷物が収容された収容部２１に対応する電気錠装置３０の開錠要求信号を制御器３１に送信する。これにより、当該電気錠装置３０が開錠されるため、宅配業者は、収容部２１から荷物を取り出すことができる。この場合、宅配業者は、荷物を収容部２１から取り出して持ち帰ったり、不在届けをユーザの郵便ポストに投函したりする等、その都度の状況に応じた適切な対応を取ることができる。
【００５０】
演算処理部５３は、ステップＳ３３の処理で肯定判断した場合には、すなわちＳＭＳメッセージの送信が成功した場合には、ステップＳ３８の処理として、荷物が宅配ボックス本体２０に預けられたことを示す預かり証の発行画面をタッチパネル５２に表示する。預かり証の発行画面では、預かり証を発行するか否かを宅配業者が選択できる。続いて、演算処理部５３は、ステップＳ３９の処理として、預かり証の発行画面においてその発行が選択されたか否かを判断する。預かり証の発行画面においてその発行が選択されなかった場合、演算処理部５３は、ステップＳ３９の処理で否定判断し、一連の処理を終了する。
【００５１】
一方、預かり証の発行画面においてその発行が選択された場合、演算処理部５３は、ステップＳ３９の処理で肯定判断し、ステップＳ４０の処理として、預かり証を印刷装置４０から印刷する。これにより、宅配業者は荷物の預かり証を取得することができる。
次に、図８を参照して、例えば荷物の受取人であるユーザがタッチパネル５２の操作画面において荷物の受け取り操作に対応したアイコンを選択した際に演算処理部５３により実行される処理の手順について説明する。
【００５２】
図８に示されるように、演算処理部５３は、まず、ステップＳ５０の処理として、開錠用コードの入力画面をタッチパネル５２に表示する。このとき、ユーザは、携帯端末７０に送信されたＳＭＳメッセージに含まれる開錠用コードを入力する。
演算処理部５３は、ステップＳ５１の処理として、記憶部５１に記憶されている開錠用コードを読み込んだ後、ステップＳ５２の処理として、タッチパネル５２に入力されたコードと、記憶部５１に記憶されている開錠用コードとが互いに一致しているか否かを判断する。演算処理部５３は、ステップＳ５２の処理で否定判断した場合には、すなわちそれぞれのコードが互いに一致していない場合には、ステップＳ５３の処理として、異常を示す画面をタッチパネル５２に表示した後、ステップＳ５０の処理に戻り、開錠用コードの入力画面をタッチパネル５２に再度表示する。
【００５３】
演算処理部５３は、ステップＳ５２の処理で肯定判断した場合には、すなわちそれぞれのコードが互いに一致している場合には、ステップＳ５４の処理として、開錠用コードに関連付けられて記憶部５１に記憶されている収容部２１の番号、すなわち荷物が収容されている収容部２１の番号をタッチパネル５２に表示する。また、演算処理部５３は、ステップＳ５５の処理として、当該収容部２１に対応する電気錠装置３０の開錠要求信号を制御器３１に送信する。これにより、荷物が収容された収容部２１に対応する扉部材２２が開状態になるため、ユーザは、開状態になった扉部材２２の収容部２１から荷物を取り出すことができる。
【００５４】
次に、例えばユーザがタッチパネル５２の操作画面において荷物の発送に対応したアイコンを選択した際に演算処理部５３により実行される処理の手順について説明する。本処理は、図６及び図７に示される処理に類似する処理であるため、その詳細な説明は割愛するが、その処理の概要は以下の通りである。
【００５５】
すなわち、図６に示されるように、演算処理部５３は、ステップＳ２０の処理として、荷物の発送を依頼する宅配業者を選択する画面をタッチパネル５２に表示する。演算処理部５３は、ユーザが宅配業者を選択した後、ステップＳ２１の処理として、ユーザの電話番号を入力することの可能な画面をタッチパネル５２に表示する。そして、演算処理部５３は、ステップＳ２２及びステップＳ２３の処理を実行し、入力された電話番号と、記憶部５１に記憶されている電話番号とが互いに一致している場合には、ステップＳ２５の処理として、開錠要求信号を制御器３１に送信することにより、所定の電気錠装置３０を開錠させる。そして、開錠された電気錠装置３０に対応する収容部２１にユーザが荷物を収容した後、ユーザが扉部材２２を閉じると、演算処理部５３は、ステップＳ２６の処理として、電気錠装置３０の施錠を検知して、ステップＳ２７及びステップＳ２８の処理を実行する。演算処理部５３は、ステップＳ２８の処理において、確認画面に表示された情報がユーザにより承認されると、図７に示されるように、ステップＳ３０の処理として、開錠用コードを生成した後、ステップＳ３１の処理として、開錠用コードを含むＳＭＳメッセージをユーザの電話番号宛てに送信する。また、演算処理部５３は、ステップＳ３３〜Ｓ４０の処理を実行し、ユーザの要求に応じて預かり証を発行する。
【００５６】
図６及び図７に示される一連の処理が完了した後、ユーザは、宅配業者のＷＥＢページ等により、荷物の集荷を宅配業者に依頼する。その際、ユーザは、自身の携帯端末７０の電話番号、及びＳＭＳメッセージに記載された開錠用コードをＷＥＢページの所定の項目に入力することにより、それらの情報を宅配業者に通知する。
【００５７】
次に、図９を参照して、例えば荷物の集荷依頼を受けた宅配業者がタッチパネル５２の操作画面において荷物の集荷操作を選択した際に演算処理部５３により実行される処理の手順について説明する。なお、図９に示される処理は、図８に示される処理に類似する処理であるため、図８に示される処理と同一の処理については同一の符号を付すことにより重複する説明を可能な限り割愛する。
【００５８】
図９に示されるように、演算処理部５３は、ステップＳ５０の処理として、開錠用コードの入力画面をタッチパネル５２に表示する。このとき、宅配業者は、集荷依頼時に通知された開錠用コードを入力する。その後、演算処理部５３は、ステップＳ５１の処理を実行した後、ステップＳ５２の処理で肯定判断した場合には、ステップＳ５４の処理として、荷物が収容された収容部２１の番号をタッチパネル５２に表示するとともに、ステップＳ５５の処理として、当該収容部２１に対応する電気錠装置３０の開錠要求信号を制御器３１に送信する。これにより、荷物が収容された収容部２１に対応する電気錠装置３０が開錠されるため、宅配業者は、開錠された電気錠装置３０に対応する収容部２１から荷物を取り出すことができる。
【００５９】
その後、演算処理部５３は、ステップＳ７０の処理として、荷物の集荷が完了したことを示すＳＭＳメッセージを、依頼人であるユーザの携帯端末７０の電話番号宛てに送信する。これにより、ユーザの携帯端末７０に、荷物の集荷が完了したことを示すＳＭＳメッセージが送信される。
【００６０】
演算処理部５３は、ステップＳ７０に続くステップＳ７１の処理として、ＳＭＳメッセージの送信が成功したか否かを判断する。演算処理部５３は、ステップＳ７１の処理で否定判断した場合には、すなわちＳＭＳメッセージの送信が失敗した場合には、ステップＳ７２の処理として、ＳＭＳメッセージを再送信するか否かを判断する。具体的には、演算処理部５３は、ＳＭＳメッセージの送信が失敗した場合、ＳＭＳメッセージを再送信するか否かを確認するための再送信確認画面をタッチパネル５２に表示する。演算処理部５３は、再送信確認画面においてＳＭＳメッセージの再送信を許諾する操作が行われた場合には、ステップＳ７２の処理で肯定判断する。この場合、演算処理部５３は、ステップＳ７３の処理として、ＳＭＳメッセージの再送信を行うことを示す画面をタッチパネル５２に表示した後、ステップＳ７０の処理に戻り、荷物の集荷が完了したことを示すＳＭＳメッセージを、ユーザの電話番号宛てに再送信する。
【００６１】
演算処理部５３は、ステップＳ７２の処理で否定判断した場合、すなわち再送信確認画面においてＳＭＳメッセージの再送信を拒否する操作が行われた場合には、ステップＳ７４の処理として、操作を中止することを示す画面をタッチパネル５２に表示する。なお、この場合、荷物の集荷が完了したか否かを依頼人が確認することができないため、例えば荷物の集荷完了を宅配業者が依頼人に直接通知すべきであることを伝えるようなメッセージをタッチパネル５２に表示してもよい。
【００６２】
演算処理部５３は、ステップＳ７２の処理で肯定判断した場合、あるいはステップＳ７４の処理を実行した場合には、一連の処理を終了する。
以上説明した本実施形態の宅配ボックスシステム１０によれば、以下の（１）〜（４）に示される作用及び効果を得ることができる。
【００６３】
（１）演算処理部５３は、収容部２１に荷物が収容された際に、記憶部５１に記憶された携帯端末７０の電話番号宛てに、開錠用コードを含むＳＭＳメッセージを送信する。また、演算処理部５３は、タッチパネル５２に入力されたコードが開錠用コードに一致しているか否かに基づいて認証を行うとともに、当該認証が成立することに基づいて電気錠装置３０を開錠させる。電話番号は各携帯端末の固有の情報であるため、本実施形態の宅配ボックスシステム１０のように、登録用コードを含むＳＭＳメッセージを携帯端末７０の電話番号宛てに送信するようにすれば、第三者が開錠用コードを取得するような状況が発生し難くなる。結果的に、第三者が宅配ボックス本体２０内の荷物を取得できるような状況が発生し難くなるため、セキュリティ性を向上させることができる。
【００６４】
（２）演算処理部５３は、携帯端末７０から送信されるＳＭＳメッセージに基づいて携帯端末７０の電話番号を取得するとともに、取得した電話番号を記憶部５１に記憶させる。これにより、ユーザの手入力によることなく、携帯端末７０の電話番号を記憶部５１に記憶させることができるため、より確実に携帯端末７０の電話番号を取得することができる。
【００６５】
（３）記憶部５１には、登録用コードが予め記憶されている。演算処理部５３は、携帯端末７０から送信されたＳＭＳメッセージに記載されているコードと、記憶部５１に記憶されている登録用コードとが一致することに基づいて、ＳＭＳメッセージに対応した携帯端末７０の電話番号を記憶部５１に記憶させる。これにより、例えば登録用コードが知らされていない第三者の携帯端末から送信されるＳＭＳメッセージに基づいて、そのＳＭＳメッセージに対応した電話番号が記憶部５１に記憶されるような状況を回避することができる。よって、第三者による宅配ボックスシステム１０の使用を未然に防止することができるため、セキュリティ性を高めることができる。
【００６６】
（４）演算処理部５３は、宅配ボックス本体２０に荷物が収容された際にタッチパネル５２に入力される電話番号と、記憶部５１に記憶されている電話番号とが互いに一致するか否かを判定し、それらが一致していない場合には、電気錠装置３０及び制御器３１による扉部材２２の施錠を行わない。これにより、携帯端末７０の電話番号を登録したユーザのみが宅配ボックス本体２０を利用することができるようになるため、第三者による宅配ボックス本体２０の利用を防止することができる。よって、セキュリティ性を向上させることができる。
【００６７】
＜第２実施形態＞
次に、宅配ボックスシステム１０の第２実施形態について説明する。以下、第１実施形態の宅配ボックスシステム１０との相違点を中心に説明する。
第１実施形態の宅配ボックスシステム１０を企業等で利用する場合、企業の敷地内に複数の宅配ボックスシステム１０が設置される可能性がある。このような場合、宅配業者は、複数の宅配ボックスシステム１０のいずれかに荷物を収容することになる。いずれかの宅配ボックスシステム１０に荷物が収容された際、ユーザの携帯端末７０にＳＭＳメッセージが送信されただけでは、いずれの宅配ボックスシステム１０に荷物が届けられたかをユーザが判別することは難しい。
【００６８】
そこで、本実施形態では、複数の宅配ボックスシステム１０のそれぞれの宅配ボックス本体２０に固有の名称が予め設定されるとともに、その固有の名称が記憶部５１に記憶されている。演算処理部５３は、図７に示されるステップＳ３２の処理において、図１０に示されるように、開錠用コードに加え、宅配ボックス本体２０の名称を含むＳＭＳメッセージをユーザの携帯端末７０の電話番号宛てに送信する。本実施形態では、宅配ボックス本体２０の名称が、荷物の収容されている収容部２１を特定可能な固有の名称に相当する。
【００６９】
以上説明した本実施形態の宅配ボックスシステム１０によれば、以下の（５）に示される作用及び効果を更に得ることができる。
（５）ユーザは、携帯端末７０に送信されたＳＭＳメッセージを見ることにより、いずれの宅配ボックスシステム１０の宅配ボックス本体２０に荷物が収容されているかを認識し易くなるため、利便性を向上させることができる。
【００７０】
＜第３実施形態＞
次に、宅配ボックスシステム１０の第３実施形態について説明する。以下、第１実施形態の宅配ボックスシステム１０との相違点を中心に説明する。
本実施形態の宅配ボックスシステム１０では、図１１に示されるように、宅配ボックス本体２０が、収容部２１として複数の小型収容部２１ａ及び複数の大型収容部２１ｂを有するとともに、操作部２３を有している。大型収容部２１ｂは、小型収容部２１ａよりも大きい収容空間を有している。操作部２３は、タッチパネル５２等が設けられている部分である。宅配ボックス本体２０は、複数の小型収容部２１ａのみが上下方向に配列される左列部Ｒ１と、上方に操作部２３が配置されるとともに下方に複数の小型収容部２１ａが配置される中央列部Ｒ２と、複数の大型収容部２１ｂのみが上下方向に配列される右列部Ｒ３とにより構成されている。
【００７１】
本実施形態の演算処理部５３は、荷物を配達する宅配業者がタッチパネル５２の操作画面において荷物のお届けに対応するアイコンを選択した際に、図１２に示される処理を実行する。なお、図１２に示される処理において、図６に示される処理と同一の処理については同一の符号を付すことにより重複する説明を割愛する。
【００７２】
図１２に示されるように、演算処理部５３は、ステップＳ２３の処理で肯定判断した場合、すなわちタッチパネル５２に入力された電話番号と、事前に登録されている電話番号とが互いに一致している場合には、ステップＳ８０の処理として、収容部選択処理を実行する。収容部選択処理の具体的な手順は、図１３〜図１５に示される通りである。
【００７３】
すなわち、図１３に示されるように、演算処理部５３は、まず、ステップＳ８１の処理として、収容部・荷物選択画面をタッチパネル５２に表示する。図１６に示されるように、収容部・荷物選択画面では、収容部２１としてのボックスの大きさ、荷物の重量、及び荷物の種類を選択することが可能となっている。
【００７４】
具体的には、収容部２１の大きさの項目では、荷物を収容する収容部２１の大きさとして「ボックス小」及び「ボックス大」のいずれかの項目を選択可能となっている。「ボックス小」の項目は、小型収容部２１ａに対応している。「ボックス大」の項目は、大型収容部２１ｂに対応している。宅配業者は、例えば配達した荷物の大きさと、大型収容部２１ｂ及び小型収容部２１ａのそれぞれの大きさとを目視で比較することにより、荷物を収容可能な収容部２１として「ボックス大」及び「ボックス小」のいずれかの項目を選択する。
【００７５】
荷物の重量の項目では、「１ｋｇ未満」、「１ｋｇ以上１０ｋｇ未満」、及び「１０ｋｇ以上」のいずれかの項目を選択可能となっている。宅配業者は、例えば伝票における荷物の重量の記載に基づいて、それらのうちのいずれかの項目を選択する。なお、荷物の重量に関しては、例えば重量計等を用いて実際に測定してもよいし、宅配業者が実際に荷物を持った感触などに基づいて判断したりしてもよい。
【００７６】
荷物の種類の項目では、「割れ物」、「食料品」、「その他」のいずれかの項目を選択可能となっている。宅配業者は、例えば伝票に記載されている荷物の種類に基づいて、「割れ物」、「食料品」、「その他」のいずれかの項目を選択する。
図１６に示される収容部・荷物選択画面では、「ボックスを開ける」のアイコンを操作することにより、操作が完了する。
【００７７】
図１３に示されるように、演算処理部５３は、ステップＳ８１の処理に続くステップＳ８２の処理として、タッチパネル５２において選択された収容部２１の大きさ、荷物の重量、及び荷物の種類の入力情報を読み込んだ後、ステップＳ８３の処理として、荷物の種類の項目で「食料品」が選択されているか否かを判断する。演算処理部５３は、ステップＳ８３の処理で肯定判断した場合には、ステップＳ８４の処理として、ボックスの大きさの項目で「ボックス小」が選択されているか否かを判断する。演算処理部５３は、ステップＳ８４の処理で肯定判断した場合には、すなわちボックスの大きさの項目で「ボックス小」が選択されている場合には、ステップＳ８５の処理として、複数の収容部２１の開錠の優先順位を、図１７（Ａ）に示される第１優先順位条件に設定する。図１７（Ａ）では、番号の小さいものほど、開錠の優先順位が高いことを示している。なお、この番号の定義は、図１７及び図１８の全ての図で同様である。図１７（Ａ）に示されるように、第１優先順位条件では、より下段に配置されているものが高い優先順位となるように、小型収容部２１ａ及び大型収容部２１ｂの全てに対して優先順位が設定されている。直射日光等が宅配ボックス本体２０に当たることを考慮すると、下段の収容部２１の方が上段の収容部２１よりも温度が上昇し難い。そのため、より下段に配置されている収容部２１の優先順位を高くすることで、収容部２１の内部に食料品が収容された際に、その劣化を回避し易くなる。
【００７８】
図１３に示されるように、演算処理部５３は、ステップＳ８４の処理で否定判断した場合には、すなわちボックスの大きさの項目で「ボックス大」が選択されている場合には、ステップＳ８６の処理として、複数の収容部２１の開錠の優先順位を、図１７（Ｂ）に示される第２優先順位条件に設定する。図１７（Ｂ）に示されるように、第２優先順位条件では、より下段に配置されているものの優先順位が高くなるように、大型収容部２１ｂのみに対して優先順位が設定されている。なお、第２優先順位条件では小型収容部２１ａに優先順位が設定されていないため、小型収容部２１ａは開錠対象になっていない。
【００７９】
図１３に示されるように、演算処理部５３は、ステップＳ８３の処理で否定判断した場合には、ステップＳ８７の処理として、荷物の種類の項目で「割れ物」が選択されているか否かを判断する。演算処理部５３は、ステップＳ８７の処理で肯定判断した場合には、すなわち荷物の種類の項目で「割れ物」が選択されている場合には、ステップＳ８８の処理として、ボックスの大きさの項目で「ボックス小」が選択されているか否かを判断する。演算処理部５３は、ステップＳ８８の処理で肯定判断した場合には、すなわちボックスの大きさの項目で「ボックス小」が選択されている場合には、ステップＳ８９の処理として、複数の収容部２１の開錠の優先順位を、図１７（Ｃ）に示される第３優先順位条件に設定する。図１７（Ｃ）に示されるように、第３優先順位条件では、中段に配置されているものの優先順位が高くなるように、小型収容部２１ａ及び大型収容部２１ｂの全てに対して優先順位が設定されている。中段の収容部２１は宅配業者の胸の辺りに配置されているため、宅配業者が荷物を最も入れやすい。そのため、中段に配置されている収容部２１の優先順位を高くすることで、割れ物の荷物を収容部２１に入れる際に、誤って落下させるような状況を発生し難くすることができる。
【００８０】
図１３に示されるように、演算処理部５３は、ステップＳ８８の処理で否定判断した場合には、すなわちボックスの大きさの項目で「ボックス大」が選択されている場合には、ステップＳ９０の処理として、複数の収容部２１の開錠の優先順位を、図１７（Ｄ）に示される第４優先順位条件に設定する。図１７（Ｄ）に示されるように、第４優先順位条件では、中段に配置されているものの優先順位が高くなるように、大型収容部２１ｂのみに対して優先順位が設定されている。なお、第４優先順位条件では小型収容部２１ａに優先順位が設定されていないため、小型収容部２１ａは開錠対象になっていない。
【００８１】
図１３に示されるように、演算処理部５３は、ステップＳ８７の処理で否定判断した場合には、すなわち荷物の種類の項目で「その他」が選択されている場合には、図１４に示されるように、ステップＳ９１の処理として、荷物の重さの項目で「１０ｋｇ以上」が選択されているか否かを判断する。演算処理部５３は、ステップＳ９１の処理で肯定判断した場合には、すなわち荷物の種類の項目で「１０ｋｇ以上」が選択されている場合には、ステップＳ９２の処理として、ボックスの大きさの項目で「ボックス小」が選択されているか否かを判断する。演算処理部５３は、ステップＳ９２の処理で肯定判断した場合には、すなわちボックスの大きさの項目で「ボックス小」が選択されている場合には、ステップＳ９３の処理として、複数の収容部２１の開錠の優先順位を、図１７（Ｅ）に示される第５優先順位条件に設定する。図１７（Ｅ）に示されるように、第５優先順位条件では、下段に配置されているものであって、且つ小型収容部２１ａの方が優先されるように、小型収容部２１ａ及び大型収容部２１ｂの全てに対して優先順位が設定されている。このように、下段の収容部２１の優先順位を高くすれば、重い荷物を収容部２１に入れ易くなる。
【００８２】
図１４に示されるように、演算処理部５３は、ステップＳ９２の処理で否定判断した場合、すなわちボックスの大きさの項目で「ボックス大」が選択されている場合には、ステップＳ９４の処理として、複数の収容部２１の開錠の優先順位を、図１７（Ｆ）に示される第６優先順位条件に設定する。図１７（Ｆ）に示されるように、第６優先順位条件では、下段に配置されているものの優先順位が高くなるように、大型収容部２１ｂのみに対して優先順位が設定されている。なお、第６優先順位条件では小型収容部２１ａに優先順位が設定されていないため、小型収容部２１ａは開錠対象になっていない。
【００８３】
図１４に示されるように、演算処理部５３は、ステップＳ９１の処理で否定判断した場合には、ステップＳ９５の処理として、荷物の重さの項目で「１ｋｇ未満」が選択されているか否かを判断する。演算処理部５３は、ステップＳ９５の処理で肯定判断した場合には、すなわち荷物の重さの項目で「１ｋｇ未満」が選択されている場合には、ステップＳ９６の処理として、ボックスの大きさの項目で「ボックス小」が選択されているか否かを判断する。演算処理部５３は、ステップＳ９６の処理で肯定判断した場合には、すなわちボックスの大きさの項目で「ボックス小」が選択されている場合には、ステップＳ９７の処理として、複数の収容部２１の開錠の優先順位を、図１８（Ａ）に示される第７優先順位条件に設定する。図１８（Ａ）に示されるように、第７優先順位条件では、中段に配置されているものの優先順位が最も低くなるように、小型収容部２１ａ及び大型収容部２１ｂの全てに対して優先順位が設定されている。
【００８４】
図１４に示されるように、演算処理部５３は、ステップＳ９６の処理で否定判断した場合、すなわちボックスの大きさの項目で「ボックス大」が選択されている場合には、ステップＳ９８の処理として、複数の収容部２１の開錠の優先順位を、図１８（Ｂ）に示される第８優先順位条件に設定する。図１８（Ｂ）に示されるように、第８優先順位条件では、中段に配置されているものの優先順位が最も低くなるように、大型収容部２１ｂのみに対して優先順位が設定されている。なお、第８優先順位条件では小型収容部２１ａに優先順位が設定されていないため、小型収容部２１ａは開錠対象になっていない。
【００８５】
図１４に示されるように、演算処理部５３は、ステップＳ９５の処理で否定判断した場合には、すなわち荷物の重さの項目で「１ｋｇ以上１０ｋｇ未満」が選択されている場合には、ステップＳ９９の処理として、ボックスの大きさの項目で「ボックス小」が選択されているか否かを判断する。演算処理部５３は、ステップＳ９９の処理で肯定判断した場合には、すなわちボックスの大きさの項目で「ボックス小」が選択されている場合には、ステップＳ１００の処理として、複数の収容部２１の開錠の優先順位を、図１８（Ｃ）に示される第９優先順位条件に設定する。図１８（Ｃ）に示されるように、第９優先順位条件では、中段に配置されているものの優先順位が最も高くなるように、小型収容部２１ａ及び大型収容部２１ｂの全てに対して優先順位が設定されている。
【００８６】
図１４に示されるように、演算処理部５３は、ステップＳ９９の処理で否定判断した場合、すなわちボックスの大きさの項目で「ボックス大」が選択されている場合には、ステップＳ１０１の処理として、複数の収容部２１の開錠の優先順位を、図１８（Ｄ）に示される第１０優先順位条件に設定する。図１８（Ｄ）に示されるように、第１０優先順位条件では、中段に配置されているものの優先順位が最も高くなるように、大型収容部２１ｂのみに対して優先順位が設定されている。なお、第１０優先順位条件では小型収容部２１ａに優先順位が設定されていないため、小型収容部２１ａは開錠対象になっていない。
【００８７】
演算処理部５３は、上述のように、ステップＳ８５，Ｓ８６，Ｓ８９，Ｓ９０，Ｓ９３，Ｓ９４，Ｓ９７，Ｓ９８，Ｓ１００，Ｓ１０１を実行することにより第１〜第１０優先順位条件のいずれかを用いて収容部２１の優先順位を設定した後、図１５に示されるように、ステップＳ１０２の処理として、設定された優先順位に基づいて開錠対象の収容部２１を決定する。具体的には、演算処理部５３は、荷物の収容されていない小型収容部２１ａ及び大型収容部２１ｂのうち、優先順位の最も高い収容部を開錠対象に設定する。その後、演算処理部５３は、ステップＳ１０３として、開錠対象である収容部に対応する電気錠装置３０の番号の情報が含まれた開錠要求信号を制御器３１に送信する。これにより、その収容部２１の電気錠装置３０に対応した扉部材２２が開錠されるため、宅配業者は、開錠された扉部材２２に対応する収容部２１に荷物を収容することができる。
【００８８】
そして、宅配業者が収容部２１に荷物を収容した後、扉部材２２を閉じると、扉部材２２が閉じられたことを電気錠装置３０が検知する。電気錠装置３０は、扉部材２２が閉じられたことを検知すると、当該扉部材２２を施錠するとともに、扉部材２２が施錠されたことを演算処理部５３に通知する。これにより、演算処理部５３は、図１５に示されるように、ステップＳ１０４の処理として、扉部材２２が施錠されたことを検知するとともに、ステップＳ１０５の処理として、収容部変更画面をタッチパネル５２に表示する。収容部変更画面は、収容部２１を変更する必要があるか否かを確認する画面である。その後、演算処理部５３は、ステップＳ１０６の処理として、収容部２１を変更する必要があるか否かを判断する。
【００８９】
演算処理部５３は、変更確認画面において変更要求アイコンが選択された場合には、ステップＳ１０６の処理で肯定判断する。この場合、演算処理部５３は、ステップＳ１０７の処理として、ステップＳ１０４で施錠が検知された収容部２１に対応する電気錠装置３０の番号の情報が含まれた開錠要求信号を制御器３１に送信する。これにより、その収容部２１の電気錠装置３０に対応した扉部材２２が開錠されるため、宅配業者は、開錠された収容部２１から荷物を取り出すことができる。宅配業者が収容部２１から荷物を取り出した後に扉部材２２を閉じると、扉部材２２が閉じられたことを電気錠装置３０が検知する。電気錠装置３０は、扉部材２２が閉じられたことを検知すると、当該扉部材２２を施錠するとともに、扉部材２２が施錠されたことを演算処理部５３に通知する。これにより、演算処理部５３は、ステップＳ１０８の処理として、扉部材２２が施錠されたことを検知すると、図１３に示されるステップＳ８１の処理に戻る。したがって、宅配業者は、収容部・荷物選択画面を再操作することになる。
【００９０】
演算処理部５３は、図１６のステップＳ１０５の処理で表示される変更確認画面において変更不要アイコンが選択された場合には、ステップＳ１０６の処理で否定判断する。この場合、演算処理部５３は、図１２に示される処理に戻り、ステップＳ２７以降の処理を実行する。
【００９１】
なお、図１３〜図１５に示される収容部選択処理は、ユーザがタッチパネル５２の操作画面において荷物の発送に対応したアイコンを選択した際にも同様に実行される。
以上説明した本実施形態の宅配ボックスシステム１０によれば、以下の（６）及び（７）に示される作用及び効果を更に得ることができる。
【００９２】
（６）演算処理部５３は、タッチパネル５２に入力される情報に基づいて、複数の小型収容部２１ａ及び大型収容部２１ｂの開錠の優先順位を設定する。そして、演算処理部５３は、電気錠装置３０を開錠させる際、荷物の収容されていない複数の収容部２１のうち、優先順位の最も高い収容部２１を開錠させる。これにより、タッチパネル５２に入力された情報に応じた最適な収容部２１が自動的に開錠されるため、荷物を配達する宅配業者や、荷物の発送を依頼するユーザが、複数の収容部２１のうちのいずれかを選択する操作を行う必要がない。よって、利便性を向上させることができる。
【００９３】
（７）タッチパネル５２に入力される情報には、収容部２１の大きさ、荷物の重さ、及び荷物の種類が含まれている。これにより、より最適な収容部２１を選択することが可能となる。
＜第４実施形態＞
次に、宅配ボックスシステム１０の第４実施形態について説明する。以下、第１実施形態の宅配ボックスシステム１０との相違点を中心に説明する。
【００９４】
本実施形態の演算処理部５３は、荷物の受取人であるユーザがタッチパネル５２の操作画面において荷物の受け取り操作に対応したアイコンを選択した際に、図１９に示される処理を実行する。なお、図１９に示される処理において、図８に示される処理と同一の処理には同一の符号を付すことにより重複する説明を割愛する。
【００９５】
図１９に示されるように、演算処理部５３は、ステップＳ５５の処理を実行した後、ユーザが扉部材２２を閉じることにより、ステップＳ１１０の処理として、所定の電気錠装置３０の施錠を検知すると、ステップＳ１１１の処理として、施錠を検知した時点から所定時間が経過したか否かを判断する。所定時間は、例えば３０秒に設定される。演算処理部５３は、施錠を検知した時点から所定時間が経過していない場合には、ステップＳ１１２の処理として、タッチパネル５２に開錠確認画面を表示する。開錠確認画面は、所定の電気錠装置３０を開錠する必要があるか否かを確認するための画面である。
【００９６】
演算処理部５３は、ステップＳ１１２に続くステップＳ１１３の処理として、開錠確認画面において開錠要求操作が行われたか否かを判断する。演算処理部５３は、開錠確認画面において開錠要求アイコンが操作された場合には、ステップＳ１１３の処理で肯定判断し、続くステップＳ１１４の処理として、所定の電気錠装置３０を開錠させることを示す開錠画面をタッチパネル５２に表示する。また、演算処理部５３は、ステップＳ１１５の処理として、ステップＳ５５の処理で施錠した所定の電気錠装置３０を開錠させるための開錠要求信号を制御器３１に送信する。これにより、所定の電気錠装置３０が開錠されるため、ユーザは収容部２１から荷物を取り出すことができる。演算処理部５３は、ステップＳ１１５の処理を実行した後、ステップＳ１１０の処理に戻る。
【００９７】
演算処理部５３は、ステップＳ１１１の処理で否定判断した場合、すなわち所定の電気錠装置３０の施錠を検知した時点から所定時間が経過した場合には、一連の処理を終了する。また、演算処理部５３は、ステップＳ１１２の処理において、開錠確認画面において開錠不要アイコンが操作された場合には、ステップＳ１１３の処理で否定判断し、一連の処理を終了する。
【００９８】
以上説明した本実施形態の宅配ボックスシステム１０によれば、以下の（８）に示される作用及び効果を更に得ることができる。
（８）演算処理部５３は、電気錠装置３０を施錠した時点から所定時間が経過するまでの期間に、電気錠装置３０の開錠を要求する操作がタッチパネル５２に対して行われることに基づいて、電気錠装置３０を開錠する。これにより、例えばユーザが収容部２１から荷物を取り出す前に誤って扉部材２２を閉じることにより電気錠装置３０が施錠状態になった場合でも、電気錠装置３０を再度開錠させることができるため、荷物を取り出すことが可能となる。
【００９９】
＜第５実施形態＞
次に、宅配ボックスシステム１０の第５実施形態について説明する。以下、第４実施形態の宅配ボックスシステム１０との相違点を中心に説明する。
本実施形態の宅配ボックスシステム１０は、収容部２１に荷物が収容されたまま所定期間が経過したときに、携帯端末７０にＳＭＳメッセージを送信することにより、荷物の受取人であるユーザに収容部２１からの荷物の取り出しを促す。また、宅配ボックスシステム１０は、収容部２１に荷物が収容されている期間が長期間に及ぶ場合、宅配ボックスシステム１０の管理者の携帯端末にＳＭＳメッセージを送信することにより、長期間放置されている荷物が存在することを管理者に認知させる。
【０１００】
具体的には、図１に破線で示されるように、本実施形態の宅配ボックスシステム１０では、パソコン５０が通信装置６０を介して管理者の携帯端末７１とネットワーク回線ＮＬや電話網ＴＮを用いた通信を行うことが可能となっている。また、図３に示されるパソコン５０の記憶部５１には、管理者の携帯端末７１の電話番号が予め記憶されている。
【０１０１】
本実施携帯の演算処理部５３は、図２０に示される処理を複数の収容部２１のそれぞれに対して所定の演算周期で実行している。
図２０に示されるように、演算処理部５３は、まず、ステップＳ１２０の処理として、収容部２１に荷物が収容されている期間である収容期間Ｔが第１収容判定期間Ｔ１以上であるか否かを判断する。
【０１０２】
具体的には、演算処理部５３は、収容部２１に荷物が収容された後、その収容部２１に対応する電気錠装置３０が施錠された時点からの経過時間を収容期間Ｔとして計測している。演算処理部５３は、例えば図１９に示されるステップＳ１１１の処理で肯定判断した場合、あるいはステップＳ１１２の処理において否定判断した場合、収容部２１から荷物が取り出されたと判定して、収容期間Ｔの計測を停止する。演算処理部５３は、このような収容期間Ｔの計測を複数の収容部２１のそれぞれに対して個別に行っている。
【０１０３】
また、第１収容判定期間Ｔ１は、荷物の受取人であるユーザに荷物の受け取りを促す時期を示すものであり、記憶部５１に予め記憶されている。第１収容判定期間Ｔ１は、例えば１日間に設定されている。なお、第１収容判定期間Ｔ１の長さは任意に変更可能である。
演算処理部５３は、ステップＳ１２０の処理で否定判断した場合には、すなわち収容期間Ｔが第１収容判定期間Ｔ１未満である場合には、一連の処理を終了する。
【０１０４】
演算処理部５３は、ステップＳ１２０の処理で肯定判断した場合には、すなわち収容期間Ｔが第１収容判定期間Ｔ１以上である場合には、ステップＳ１２１の処理として、収容期間Ｔが第２収容判定期間Ｔ２以上であるか否かを判断する。第２収容判定期間Ｔ２は、宅配ボックスシステム１０の管理者に、受け取りの完了していない荷物が存在することを知らせる時期を示すものであり、記憶部５１に予め記憶されている。第２収容判定期間Ｔ２は、第１収容判定期間Ｔ１よりも長い期間であって、例えば数日に設定される。なお、第２収容判定期間Ｔ２の長さは任意に変更可能である。
【０１０５】
演算処理部５３は、ステップＳ１２１の処理で否定判断した場合には、すなわち収容期間Ｔが第１収容判定期間Ｔ１以上であって、且つ第２収容判定期間Ｔ２未満である場合には、ステップＳ１２２の処理として、荷物の受取人であるユーザの携帯端末７０の電話番号宛てに、荷物の受け取りを促すＳＭＳメッセージを送信する。
【０１０６】
演算処理部５３は、ステップＳ１２１の処理で肯定判断した場合には、すなわち収容期間Ｔが第２収容判定期間Ｔ２以上である場合には、ステップＳ１２３の処理として、管理者の携帯端末７１の電話番号宛てに、受け取りの完了していない荷物が存在することを示すＳＭＳメッセージを送信する。
【０１０７】
以上説明した本実施形態の宅配ボックスシステム１０によれば、以下の（９）及び（１０）に示される作用及び効果を更に得ることができる。
（９）収容期間Ｔが第１収容判定期間Ｔ１以上になると、荷物の受取人であるユーザの携帯端末７０にＳＭＳメッセージが送信されるため、ユーザは、このＳＭＳメッセージに基づいて、受け取っていない荷物が存在することに気づくことができる。よって、利便性を向上させることができる。
【０１０８】
（１０）収容期間Ｔが第２収容判定期間Ｔ２以上になると、管理者の携帯端末７１にＳＭＳメッセージが送信されるため、管理者は、長期間放置されている荷物の存在に気づくことができる。これにより、この荷物に対する適宜の処置を管理者が行うことが可能となるため、荷物が収容部２１内に収容されたまま放置されるような状況を回避することができる。
【０１０９】
＜他の実施形態＞
なお、上記実施形態は、以下の形態にて実施することもできる。
・第３実施形態の宅配ボックスシステム１０は、タッチパネル５２に入力される情報として、収容部２１の大きさ、荷物の重さ、及び荷物の種類の少なくとも一つを用いるものであればよい。また、タッチパネル５２に入力される情報として、それら以外の項目を用いてもよい。
【０１１０】
・各実施形態の宅配ボックスシステム１０では、パソコン５０の記憶部５１に携帯端末７０の電話番号を記憶させる構成であったが、これに代えて、ネットワーク回線を利用可能なサーバ装置に携帯端末７０の電話番号を記憶させてもよい。これにより、複数の宅配ボックスシステム１０のそれぞれのパソコン５０からサーバ装置にアクセスすることにより、全ての宅配ボックスシステム１０で同一の電話番号の情報を共有することができる。すなわち、電話番号の情報を一元管理することができる。このような構成によれば、ユーザの電話番号の情報がサーバ装置に一旦登録されれば、その後はユーザが全ての宅配ボックスシステム１０を利用することが可能となる。よって、各宅配ボックスシステム１０に対する個別の登録作業が不要となるため、利便性を向上させることができる。
【０１１１】
・各実施形態の宅配ボックスシステム１０は、タッチパネル５２に代えて、コードを入力するための入力部と、各種情報を表示するディスプレイとを別々に有するものであってもよい。
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【０１１２】
１０：宅配ボックスシステム
２１：収容部
２２：扉部材
３０：電気錠装置（施開錠部）
３１：制御器（施開錠部）
５１：記憶装置（記憶部）
５２：タッチパネル（入力部）
５３：演算処理部（制御部）
６０：通信装置（通信部）
７０：携帯端末
【図１】
2019180588.tif 000003
【図２】
2019180588.tif 000004
【図３】
2019180588.tif 000005
【図４】
2019180588.tif 000006
【図５】
2019180588.tif 000007
【図６】
2019180588.tif 000008
【図７】
2019180588.tif 000009
【図８】
2019180588.tif 000010
【図９】
2019180588.tif 000011
【図１０】
2019180588.tif 000012
【図１１】
2019180588.tif 000013
【図１２】
2019180588.tif 000014
【図１３】
2019180588.tif 000015
【図１４】
2019180588.tif 000016
【図１５】
2019180588.tif 000017
【図１６】
2019180588.tif 000018
【図１７】
2019180588.tif 000019
【図１８】
2019180588.tif 000020
【図１９】
2019180588.tif 000021
【図２０】
2019180588.tif 000022